(57)【要約】【課題】身体の任意の部位、特に頸部を効果的に冷却することができる身体冷却具を提供する。【解決手段】身体冷却具１０は、身体頸部の少なくとも後部から両側部までの部位を囲繞する形状に湾曲させた筒状体の内部にドライアイスの収納室が形成されているドライアイス収納部１２と、ドライアイス収納部の長手方向における両端を連結させるための連結部１４を備える。ドライアイス収納部１２は、３つの異なる素材による四層構造となっており、外側から内側に向けて、ニット層、ラバー層、ニット層、メッシュ層の順に配されている。このうちニット層およびラバー層には通気孔１６が設けられている。【選択図】図１
2019000533.tif 000002
【特許請求の範囲】
【請求項１】
身体の冷却したい部位に装着して使用する身体冷却具において、
内側のメッシュ層と、外側のニット層と、前記メッシュ層と前記ニット層との間に介在するラバー層によって袋状に構成され、前記メッシュ層によって囲繞される空間にドライアイスを収納するドライアイス収納部を備えることを特徴とする、
身体冷却具。
【請求項２】
前記メッシュ層と前記ラバー層との間にニット層が介在することを特徴とする、
請求項１に記載の身体冷却具。
【請求項３】
前記メッシュ層が、前記ニット層および前記ラバー層に対して分離可能であることを特徴とする、
請求項１または２に記載の身体冷却具。
【請求項４】
前記ニット層および前記ラバー層のうち少なくとも一方が、装着時に身体に近接する部分において相対的に薄く形成されていることを特徴とする、
請求項１乃至３の何れかに記載の身体冷却具。
【請求項５】
前記ドライアイス収納部が、一方向に長い筒状体であって、長手方向において湾曲した形状であることを特徴とする、
請求項１乃至４の何れかに記載の身体冷却具。
【請求項６】
前記ドライアイス収納部が、身体頸部の少なくとも後部から両側部までの部位を囲繞する形状であることを特徴とする、
請求項５に記載の身体冷却具。
【請求項７】
前記ドライアイス収納部が、長手方向における両端部を連結させるための連結部を備えることを特徴とする、
請求項５または６に記載の身体冷却具。
【請求項８】
前記ラバー層および前記ニット層の湾曲内周側に通気孔が設けられていることを特徴とする、
請求項５乃至７の何れかに記載の身体冷却具。
【請求項９】
前記収納室を区画する仕切り層を備えることを特徴とする、
請求項１乃至８の何れかに記載の身体冷却具。
【請求項１０】
前記仕切り層が、前記メッシュ生地層と同じ素材で構成されていることを特徴とする、
請求項１乃至９の何れかに記載の身体冷却具。
【請求項１１】
ドライアイスを使用して身体を冷却するための身体冷却具において、
内側のメッシュ層と、外側のニット層と、前記メッシュ層と前記ニット層との間に介在するラバー層によって構成される平板状の袋体の内部にドライアイスを収納するドライアイス収納部と、
前記ドライアイス収納部を身体の背中側に装着するための肩紐と胴紐を備えることを特徴とする、
身体冷却具。
【請求項１２】
前記メッシュ層と前記ラバー層との間にニット層が介在することを特徴とする、
請求項１１に記載の身体冷却具。
【発明の詳細な説明】
【技術分野】
【０００１】
本発明は、ドライアイスを使用して身体を冷却するための身体冷却具に関する。
【背景技術】
【０００２】
屋外や工場等において各種作業に従事する者の快適性や安全性の向上を目的として、ドライアイスを使用して作業者の身体を冷却するための冷却具が提案されている（特許文献１、２参考）。何れも定量のドライアイスを収納保持する袋や収納体を備えており、これを作業従事者の着衣や作業着のポケット等に収納しておくことで、ドライアイスの昇華熱によって身体の冷却を行うものである。
【先行技術文献】
【特許文献】
【０００３】
【特許文献１】特開２００８−２３２７４号公報
【特許文献２】実用新案登録第３２０２２８２号公報
【特許文献３】特開２０１１−１６６９号公報
【発明の概要】
【発明が解決しようとする課題】
【０００４】
しかし、従来の冷却具は作業着等のポケットに収納することを前提としているため、ポケットがない部位は冷却することができないという問題がある。身体の頸部は冷却効果の非常に高い部位であるが、ここにポケット等の収納部が備わっていることは非常に稀であるため、従来の冷却具では対応することができない。特許文献３には頸部に相当する位置にポケットが設けられているジャケットが開示されているが、ドライアイスを収納するだけのために専用のジャケットを導入するのはコスト過多となり現実的ではない。またジャケット（作業着）には業種や用途に応じて様々な種類のものがあり、これら全てに特別なポケットを設けることも現実的ではない。このように従来の冷却具は、ポケット等の収納部を用いて身体にドライアイスを装着するものであり、それ以外の箇所に装着することは想定されていなかったため、例えば頸部のような特定の部位のみを効果的に冷却することはできなかった。
【０００５】
そこで、本発明は、身体の任意の部位、特に頸部を効果的に冷却することができる身体冷却具を提供することを目的とする。
【課題を解決するための手段】
【０００６】
本発明は、以下に示す態様により課題を解決する。
【０００７】
本発明の第１の態様は、身体の冷却したい部位に装着して使用する身体冷却具において、内側のメッシュ層と、外側のニット層と、前記メッシュ層と前記ニット層との間に介在するラバー層によって袋状に構成され、前記メッシュ層によって囲繞される空間にドライアイスを収納するドライアイス収納部を備えることを特徴とする身体冷却具である。
【０００８】
身体冷却具は、メッシュ生地層、ニット生地層、ラバー層の３層構造であり、ニット生地層とラバー層、特にラバー層の剛性によって筒状体の形状を維持する。なおメッシュ生地層はドライアイスと直接的に接触しても破断したりしない程度の強度を有する。またニット生地層は身体もしくは衣類と接触しても破断したりしない程度の強度を有し、地肌に不快感を与えない程度の触感を有する。
【０００９】
本発明の第２の態様は、さらに前記メッシュ層と前記ラバー層との間にニット層が介在することを特徴とする身体冷却具である。
【００１０】
メッシュ層とラバー層との間に介在するニット層には、ドライアイスの冷気のよってラバー層が凍結することを防止する役割がある。
【００１１】
本発明の第３の態様は、さらに前記メッシュ層が、前記ニット層および前記ラバー層に対して分離可能であることを特徴とする身体冷却具である。
【００１２】
メッシュ層が他の層に対して分離できるように構成すれば、メッシュ層で形成された袋体をドライアイス収納部から取り外した状態でドライアイスを詰めたり取り除いたりすることができるため、ドライアイスの取り扱いが容易になるという利点がある。また、メッシュ層はドライアイスと直接的に接触するため傷みやすいが、取り外し可能であれば交換も容易に行うことができる。
【００１３】
本発明の第４の態様は、さらに前記ニット層および前記ラバー層のうち少なくとも一方が、装着時に身体に近接する部分において相対的に薄く形成されていることを特徴とする身体冷却具である。
【００１４】
身体に直接的、または着衣等を介して間接的に接触する、もしくは近接する部分を他の部分よりも薄く形成すれば、他の部分における外部との熱交換を抑えつつ身体の冷却したい部分を効果的に冷却することができる。
【００１５】
本発明の第５の態様は、さらに前記ドライアイス収納部が、一方向に長い筒状体であって、長手方向において湾曲した形状であることを特徴とする身体冷却具である。
【００１６】
筒状の湾曲したドライアイス収納部であれば、曲面の多い身体にフィットしやすく、身体との隙間を最小限に抑えることができるため、希望する部位をピンポイントで効果的に冷却することができる。
【００１７】
本発明の第６の態様は、さらに前記ドライアイス収納部が、身体頸部の少なくとも後部から両側部までの部位を囲繞する形状であることを特徴とする身体冷却具である。
【００１８】
頸部の周囲を広範囲に囲む形状であるため、頸部を効果的に冷却することができる。また、頸部から両肩にかかる部位によって身体冷却具を支持することができるため、身体冷却具の重量による負担を軽減することができる。
【００１９】
本発明の第７の態様は、さらに前記ドライアイス収納部が、長手方向における両端部を連結させるための連結部を備えることを特徴とする身体冷却具である。
【００２０】
両端部を連結させることで身体冷却具が環状に閉じた形状となるため、身体の各部に確実に固定することができる。
【００２１】
本発明の第８の態様は、さらに前記ラバー層および前記ニット層の湾曲内周側に通気孔が設けられていることを特徴とする身体冷却具である。
【００２２】
身体冷却具は、各層の素材によっては通気孔がなくても十分な冷却効果が期待できるが、ニット生地層およびラバー層については、身体と相対する湾曲内周側に通気孔を適当な大きさや配置で設けておくことで快適性を向上させることができる。
【００２３】
本発明の第９の態様は、さら前記収納室を区画する仕切り層を備えることを特徴とする体冷却具である。
【００２４】
仕切り層によって収納室内を複数の空間に仕切り、任意の空間にドライアイスを収納することで、身体への冷却効果を調節することができる。
【００２５】
本発明の第１０の態様は、さらに前記仕切り層が、前記メッシュ生地層と同じ素材で構成されていることを特徴とする身体冷却具である。
【００２６】
メッシュ生地層をそのまま延長して仕切り層とすることができるため、製造にかかる手間や費用を抑えることができる。
【００２７】
本発明の第１１の態様は、ドライアイスを使用して身体を冷却するための身体冷却具において、内側のメッシュ層と、外側のニット層と、前記メッシュ層と前記ニット層との間に介在するラバー層によって構成される平板状の袋体の内部にドライアイスの収納室が形成されているドライアイス収納部と、前記ドライアイス収納部を身体の背中側に固定するための肩紐と胴紐を備えることを特徴とする身体冷却具である。
【００２８】
ドライアイス収納部が平板状であるため、身体の背中側に装着した状態でその上から作業着等を着ることができる。
【００２９】
本発明の第１２の態様は、さらに前記メッシュ層と前記ラバー層との間にニット層が介在することを特徴とする身体冷却具である。
【００３０】
メッシュ層とラバー層との間に介在するニット層には、ドライアイスの冷気のよってラバー層が凍結することを防止する役割がある。
【発明の効果】
【００３１】
本発明によれば、所定の形状を維持することができる剛性を備える身体冷却具を提供することができるため、ポケット等の収納がない箇所にも容易に装着することができる。
【図面の簡単な説明】
【００３２】
【図１】頸部用の身体冷却具の外観を示す図
【図２】身体冷却具のドライアイス収納部の層構造を示す図
【図３】身体冷却具のドライアイス収納部の層構造を示す図
【図４】リュックサック型の身体冷却具の外観を示す図
【発明を実施するための形態】
【００３３】
本発明の実施形態について、添付の図面を参照しながら説明する。
【００３４】
最初に、身体冷却具の全体構造について、図１を参照しながら説明する。身体冷却具１０は、ドライアイス収納部１２と、ドライアイス収納部１２の両端に取り付けられている連結部１４によって構成されている。ドライアイス収納部１２は細長い筒状の容器であり、長手方向において湾曲し、身体頸部の少なくとも後部から両側部までの部位を囲繞する形状になっている。ドライアイス収納部１２の背面にはファスナー（図示しない）が設けられており、ファスナーの開閉によってドライアイス収納部１２の内部の収納室にドライアイスを収納することが可能になっている。なおファスナーには、スナップボタン等の点ファスナーの他、線ファスナーや面ファスナー等を用いることができる。ドライアイス収納部１２の湾曲内周側、すなわち使用時に身体頸部と相対する側には、複数の通気孔１６が設けられている。
【００３５】
連結部１４は、雌雄一対の面ファスナーや、長さ調節が可能なベルトに取り付けられたサイドリリースバックルなど、身の回り品の留め具や連結具として一般に用いられるものを適用することができる。
【００３６】
続いて、ドライアイス収納部の層構造について、図２を参照しながら説明する。ドライアイス収納部１２は、３つの異なる素材による四層構造となっており、外側から内側に向けて、ニット層１８、ラバー層２２、ニット層１８、メッシュ層２０の順に配されている。このうちニット層１８およびラバー層２２には通気孔１６が設けられている。
【００３７】
ドライアイス収納部１２の表側は、身体に直接的にもしくは衣類を介して間接的に接触する部位であるため、身体の動きに伴う摩擦に晒されやすい。また、身体への接触による不快感をできるだけ排除しなければならない。さらには、汗や皮脂による汚れの落としやすさも考慮しなければならない。ニット生地層１８はニット編みされた生地で形成されており、柔軟で強度が高く、また洗濯による汚れ落ちも良いことから、身体に触れることの多いドライアイス収納部１２の表側の生地に適している。特にジャージー編みされたジャージー生地は、伸縮性が高いため、曲面の多い身体にフィットしやすいという利点がある。
【００３８】
ラバー層２２は、ゴムの持つ復元性によってドライアイス収納部１２の筒状の形状を維持する役割を担っている。特にクロロプレンゴムは、耐候性、耐熱性、耐油性に優れ、また加工も容易である。なおラバー層２２はドライアイスの冷気によって硬化し、損傷を受けやすくなるため、ドライアイス側にニット層１８を配することでラバー層２２が低温硬化しないようにされている。
【００３９】
ドライアイス収納部１２の内側は、ドライアイスの収納室を囲う部位となるため、ドライアイスの昇華による冷気の通路を確保する必要がある。メッシュ生地層２０は、網目が大きいメッシュ生地を適用するため、十分な通気性を確保することができる。また、その軽さによって身体冷却具の軽量化を図ることができる。特にポリエステルメッシュ生地は、非常に軽量でかつ強度が高く、乾燥性に優れるという利点がある。
【００４０】
ドライアイス収納部１２は、図３に示すように、収納室を区画するための仕切り層を付加してもよい。仕切り層２４によって収納室を区画することで、身体が感じる冷却温度の調節と冷却時間の調節が可能になる。例えば、図３（ａ）に示すように、仕切り層２２によってドライアイス２６を包み込むように区画した場合、四層構造のドライアイス収納部にさらに一層が追加された五層構造となるので、通気性が低下し、遮断性が向上する。この結果、身体が感じる冷却温度は上昇する（すなわち冷たく感じにくくなる）が、ドライアイスの寿命が延びるため、冷却時間は長くなる。これとは逆に、冷却効果を高めたい場合（より冷たく感じたい場合）は、図３（ｂ）に示すように、仕切り層２４を身体側とは逆方向の外側に移動させれば、身体側は四層構造のままとなり、最大限の冷却効果を得ることが可能になる。このとき、外側は六層構造となって外界との遮断性が向上するため、ドライアイスの寿命を延ばすことができる。
【００４１】
前述した身体冷却具１０は頸部に装着して使用するものであるが、図４に示す身体装着具は、リュックサックのように背負って使用するものである。この背中用の身体装着具３０は、ドライアイス収納部３２と肩紐３４および胴紐３６によって構成されている。ドライアイス収納部３２の層構造は、前述した頸部用の身体装着具１０のドライアイス収納部１２と同様に、ニット生地層およびラバー層、メッシュ生地層からなる四層構造である。ドライアイス収納部３２は、身体の背中側にフィットしやすいように縦長の矩形状となっており、装着したまま作業着等を着用することができるように薄い平板状に形成されている。ドライアイス収納部３２の両側に取り付けられた肩紐３４は、長さ調節が可能なベルトに取り付けられたサイドリリースバックルによって着脱可能に構成されている。ドライアイス収納部３２の下端に取り付けられた胴紐３６は、ベルトに取り付けられた面ファスナーの貼り付け位置によって着用者の胴囲に適した任意の長さに調節可能に構成されている。
【符号の説明】
【００４２】
１０  身体冷却具
１２  ドライアイス収納部
１４  連結部
１６  通気孔
１８  ニット層
２０  メッシュ層
２２  ラバー層
２４  仕切り層
２６  ドライアイス
３０  身体冷却具
３２  ドライアイス収納部
３４  肩紐
３６  胴紐
【図１】
2019000533.tif 000003
【図２】
2019000533.tif 000004
【図３】
2019000533.tif 000005
【図４】
2019000533.tif 000006